【手続補正書】
【提出日】平成26年1月24日(2014.1.24)
【手続補正１】
【補正対象書類名】特許請求の範囲
【補正対象項目名】全文
【補正方法】変更
【補正の内容】
【特許請求の範囲】
【請求項１】
紙葉類を搬送するための、それぞれ少なくとも一部の区間が円弧状に形成された少なくとも３つ以上の搬送路と、
上記紙葉類を搬送する上記搬送路を切り換えるための少なくとも１つ以上の切換部と
を具え、
複数の上記搬送路は、
それぞれの上記円弧状の区間の２つの接続位置が、それぞれ異なる１つの上記搬送路の上記円弧状の区間の上記接続位置と、円弧の外側を対向させるように接続されて配置され、
上記切換部は、
複数の上記搬送路の接続箇所で、上記紙葉類を搬送する上記搬送路を切り換える
紙葉類搬送装置。
【請求項２】
複数の上記搬送路は、
個数が３であり、それぞれ上記円弧状の区間の少なくとも上記２つの接続位置間が、半径の等しい円の円周を基に円弧状に形成された
請求項１に記載の紙葉類搬送装置。
【請求項３】
上記切換部は、
先端で鋭角に接する一方及び他方の側面に、上記２つの接続位置間の円弧状と等しい円弧状の切欠部が形成された切換ブレード
を具え、
上記切換ブレードは、
３つの上記搬送路それぞれの上記２つの接続位置間で囲まれた空間の中央部に回動可能に配置された
請求項２に記載の紙葉類搬送装置。
【請求項４】
３つの上記搬送路のうち少なくとも１つの当該搬送路は、
上記２つの接続位置間を円弧状に形成するために利用した上記円の上記半径よりも小さい半径を有し、上記円弧状の区間に沿って上記紙葉類を搬送するための複数のドライブローラ
を具える請求項３に記載の紙葉類搬送装置。
【請求項５】
３つの上記搬送路のうち少なくとも１つの当該搬送路は、
上記２つの接続位置間を円弧状に形成するために利用した上記円の上記半径と等しい半径を有し、上記円弧状の区間に沿って上記紙葉類を搬送するためのドライブローラ
を具える請求項３に記載の紙葉類搬送装置。
【請求項６】
少なくとも３箇所以上を互いに接続して紙葉類を搬送するための、それぞれ少なくとも一部の区間が円弧状に形成された少なくとも３つ以上の搬送路と、
上記紙葉類を搬送する上記搬送路を切り換えるための少なくとも１つ以上の切換部と
を具え、
複数の上記搬送路は、
それぞれの上記円弧状の区間の２つの接続位置が、それぞれ異なる１つの上記搬送路の上記円弧状の区間の上記接続位置と、円弧の外側を対向させるように接続されて配置され、
上記切換部は、
複数の上記搬送路の接続箇所で、上記紙葉類を搬送する上記搬送路を切り換える
現金自動取引装置。
【手続補正２】
【補正対象書類名】明細書
【補正対象項目名】００８１
【補正方法】変更
【補正の内容】
【００８１】
ここで、図３に示すように、第１円弧状搬送路２４は、後側搬送路２３の他端Ｅ１から真上の所定位置を中心（以下、これを第１中心とも呼ぶ）Ｐ１とし、当該他端Ｅ１から第１中心Ｐ１までの距離を半径（以下、これを第１半径とも呼ぶ）Ｒ１とする円の円周を基準に形成されている。
【手続補正３】
【補正対象書類名】明細書
【補正対象項目名】０１００
【補正方法】変更
【補正の内容】
【０１００】
これにより第１円弧状搬送路２４の搬送駆動部は、紙幣を、他端Ｅ３側からドライブローラ２４Ａと順次１組のテンションローラ２４Ｂとの間に挟み込むように取り込む一方、一端Ｅ２側に押し出すようにして後側搬送路２３へ搬送する。
【手続補正４】
【補正対象書類名】明細書
【補正対象項目名】０１１１
【補正方法】変更
【補正の内容】
【０１１１】
すなわち、第２円弧状搬送路２５は、第１円弧状搬送路２４に対し、一端Ｅ４の接線を、当該第１円弧状搬送路２４の第１接続位置Ｔ１の接線と一致させて、第１円弧状搬送路２４の一端Ｅ２から第１接続位置Ｔ１までと自身とで緩やかな逆Ｓ字を描くように接続されている。
【手続補正５】
【補正対象書類名】明細書
【補正対象項目名】０１２８
【補正方法】変更
【補正の内容】
【０１２８】
そして搬送ガイド２５Ｄは、複数の孔部にそれぞれ円弧の外側の対応する搬送ベルト２５Ｃを挿入させて、例えば、第２円弧状搬送路２５の一端Ｅ４付近から他端Ｅ５付近までに亘り、内面を円弧の内側の搬送ベルト２５Ｃの表面に近接させて配置されている。
【手続補正６】
【補正対象書類名】明細書
【補正対象項目名】０１３５
【補正方法】変更
【補正の内容】
【０１３５】
また第２円弧状搬送路２５の搬送駆動部は、搬送ガイド２５Ｄの内面を円弧の内側の搬送ベルト２５Ｃの表面に近接させていることで、搬送中の紙幣を、例えばドライブ軸とモータとを連結するためのギヤ等に引っ掛けないようにガイドして搬送している。
【手続補正７】
【補正対象書類名】明細書
【補正対象項目名】０１３８
【補正方法】変更
【補正の内容】
【０１３８】
すなわち、第３円弧状搬送路２６は、係る円周において、第２中心Ｐ２から右方向に水平（すなわち、真横）に伸びる仮想線との交点を一端Ｅ６とし、当該第２中心Ｐ２の真上に伸びる仮想線との交点を第１円弧端位置Ｔ２として、一端側が一端Ｅ６及び第１円弧端位置Ｔ２間の円弧に沿って紙幣を搬送するように（すなわち、円弧状に）形成されている。
【手続補正８】
【補正対象書類名】明細書
【補正対象項目名】０１４８
【補正方法】変更
【補正の内容】
【０１４８】
すなわち、第４円弧状搬送路２７は、係る円周において、第３中心Ｐ３から左方向に水平（すなわち、真横）に伸びる仮想線との交点を一端Ｅ８とし、当該第３中心Ｐ３から真下よりも後側へ３０度傾いた方向に伸びる仮想線との交点を他端Ｅ９として、一端Ｅ８及び他端Ｅ９間の円弧に沿って紙幣を搬送するように（すなわち、円弧状に）形成されている。
【手続補正９】
【補正対象書類名】明細書
【補正対象項目名】０１５１
【補正方法】変更
【補正の内容】
【０１５１】
よって第４円弧状搬送路２７は、後述するように第３円弧状搬送路２６の他端Ｅ７から一端Ｅ６まで搬送された紙幣を、搬送方向を急激に変化させることなく一端Ｅ８で受け取って引き続き他端Ｅ９まで搬送することができる。
【手続補正１０】
【補正対象書類名】明細書
【補正対象項目名】０１５７
【補正方法】変更
【補正の内容】
【０１５７】
因みに、以下の説明では、第５円弧状搬送路２８において第２円弧端位置Ｔ３から他端までの間で水平な直線状に形成された部分を、一端側水平部分とも呼ぶ。
【手続補正１１】
【補正対象書類名】明細書
【補正対象項目名】０１７４
【補正方法】変更
【補正の内容】
【０１７４】
これにより切換部２９は、ステッピングモータを介してドライブシャフトを回転駆動することにより、当該ドライブシャフトを中心にして複数の切換ブレード２９Ａを、上述のドライブローラ２４Ａや搬送ベルト等に干渉させずに一方向及び他方向に回動させることができる。
【手続補正１２】
【補正対象書類名】明細書
【補正対象項目名】０１９８
【補正方法】変更
【補正の内容】
【０１９８】
そして制御部３０は、取込集積機構６Ｃによりリジェクト紙幣を紙幣投入取出部６内に取り込んで載上台６Ａ上に載上する。
【手続補正１３】
【補正対象書類名】明細書
【補正対象項目名】０２１２
【補正方法】変更
【補正の内容】
【０２１２】
これにより制御部３０は、取込集積機構６Ｃにより紙幣を紙幣投入取出部６内に取り込んで載上台６Ａ上に載上するようにして、当該紙幣を、紙幣投入取出部６を介して顧客に返却する。
【手続補正１４】
【補正対象書類名】明細書
【補正対象項目名】０２２０
【補正方法】変更
【補正の内容】
【０２２０】
そして制御部３０は、取込集積機構６Ｃにより紙幣を紙幣投入取出部６内に取り込んで載上台６Ａ上に載上するようにして、当該紙幣を、紙幣投入取出部６を介して顧客に引き渡す。
【手続補正１５】
【補正対象書類名】明細書
【補正対象項目名】０２３６
【補正方法】変更
【補正の内容】
【０２３６】
また現金自動預払機１は、一時保留部１１から紙幣を鑑別部１０や紙幣投入取出部６へ搬送する場合、保留側搬送路２１を介して搬送した紙幣を、切換部２９により他の鑑別側搬送路２０や投入取出側搬送路２２に案内するようにして、当該紙幣の搬送に用いる搬送路を切り換える。
【手続補正１６】
【補正対象書類名】明細書
【補正対象項目名】０２３７
【補正方法】変更
【補正の内容】
【０２３７】
従って現金自動預払機１は、鑑別部１０から紙幣を一時保留部１１や紙幣投入取出部６へ搬送し、また一時保留部１１から紙幣を鑑別部１０や紙幣投入取出部６へ搬送する場合、鑑別側搬送路２０、保留側搬送路２１及び投入取出側搬送路２２の接続箇所で、紙幣の搬送に用いる搬送路を何れに切り換えても、当該紙幣が接続箇所を通る際に搬送方向が急激に変化することを防止して、ジャムの発生を大幅に低減させることができる。
【手続補正１７】
【補正対象書類名】明細書
【補正対象項目名】０２７９
【補正方法】変更
【補正の内容】
【０２７９】
また現金自動預払機４０では、第１円弧状搬送路４５の係る構成に応じて、後側搬送路４６についても全体を、第１の実施の形態による後側搬送路２３よりも短く形成している。
【手続補正１８】
【補正対象書類名】明細書
【補正対象項目名】０２８０
【補正方法】変更
【補正の内容】
【０２８０】
これにより現金自動預払機４０は、一時保留部１１と共に、第１円弧状搬送路４５、第２円弧状搬送路２５、第３円弧状搬送路２６、第４円弧状搬送路２７及び第５円弧状搬送路４４を、第１の実施の形態の場合よりも紙幣投入取出部６に近づけて配置することができる。
【手続補正１９】
【補正対象書類名】明細書
【補正対象項目名】０２９３
【補正方法】変更
【補正の内容】
【０２９３】
因みに、第３円弧状搬送路５３には、上述した第１の実施の形態による第２円弧状搬送路２５の搬送駆動部（図４）と基本的には同様に構成された搬送駆動部が設けられている。
【手続補正２０】
【補正対象書類名】明細書
【補正対象項目名】０３０９
【補正方法】変更
【補正の内容】
【０３０９】
よって第１円弧状搬送路２４は、例えば、第２円弧状搬送路２５を介して搬送された紙幣を受け取った場合、その紙幣をドライブローラ２４Ａの周側面から極端に浮かせることなく、カセット側搬送路６３へスムーズに受け渡すことができる。
【手続補正２１】
【補正対象書類名】明細書
【補正対象項目名】０３１６
【補正方法】変更
【補正の内容】
【０３１６】
これにより制御部３０は、一時保留部１１から１枚ずつ繰り出された紙幣を、第３円弧状搬送路２６を介して搬送した後、切換部２９による搬送路の切り換えにより引き続き第２円弧状搬送路２５を介して第１円弧状搬送路２４へ搬送する。
【手続補正２２】
【補正対象書類名】明細書
【補正対象項目名】０３５７
【補正方法】変更
【補正の内容】
【０３５７】
そして搬送ガイド７５Ｄは、複数の孔部にそれぞれ対応する搬送ベルト７５Ｃを挿入させて、例えば、第１円弧状搬送路７５の一端付近から第１接続位置付近までに亘り、内面を第１ドライブローラ７５Ａの周側面に近接させて配置されている。
【手続補正２３】
【補正対象書類名】明細書
【補正対象項目名】０３７９
【補正方法】変更
【補正の内容】
【０３７９】
そして搬送ガイド７６Ｄは、複数の孔部にそれぞれ円弧の外側及び他端側水平部分の上側の対応する搬送ベルト７６Ｃを挿入させて、例えば、保留側搬送路７６の中央部付近から他端付近までに亘り、内面を円弧の内側及び他端側水平部分の下側の搬送ベルト７６Ｃの表面に近接させて配置されている。
【手続補正２４】
【補正対象書類名】明細書
【補正対象項目名】０３９４
【補正方法】変更
【補正の内容】
【０３９４】
本発明は、係る構成によれば、鑑別部１０により偽券が鑑別されたとき、その偽券を、一時保留部１１まで搬送して一旦保持させることなく、当該鑑別部１０から後側搬送路２３及び第１円弧状搬送路２４の途中まで搬送した後、切換部７９によりカセット側搬送路７８に案内して、当該カセット側搬送路７８を介して偽券収納カセット６１に搬送して収納することができる。